(57)【要約】【課題】  通常モード設定時に確認印刷モードが設定されていない画像形成装置において、確認印刷モード設定時に強制留め置き設定を設定する手間をなくすことを目的とする。【解決手段】  受信手段により受信される画像データの留め置き設定を設定する留め置き設定手段と、前記留め置き設定が設定されている場合、ユーザ操作を受け付けたことに従って、印刷手段に画像の印刷を開始させ、前記留め置き設定がなされていない場合、画像データを受信したことに従って、前記印刷手段に画像の印刷を開始させるよう制御する制御手段と、印刷結果を確認するための印刷を行う確認印刷モードを設定するモード設定手段と、を有し、前記制御手段は前記確認印刷モードが設定されている間は、前記留め置き設定がなされていない場合も、ユーザ操作を受付けたことに従って、前記印刷手段に印刷を開始させるよう制御することを特徴とする画像形成装置。【選択図】  図８
2018012298.tif 000002
【特許請求の範囲】
【請求項１】
情報処理装置から画像データを受信する受信手段と、
画像データに基づいて画像を印刷する印刷手段と、
印刷開始を指示するユーザ操作を受付ける受付手段と、
前記受信手段により受信される画像データの留め置き設定を設定する留め置き設定手段と、
前記留め置き設定が設定されている場合、前記受信手段により画像データを受信した後に前記受付手段により前記ユーザ操作を受け付けたことに従って、前記印刷手段に前記画像データに基づく画像の印刷を開始させ、
前記留め置き設定がなされていない場合、前記受付手段により前記ユーザ操作を受け付けることなく、前記印刷手段に前記画像データに基づく画像の印刷を開始させるよう制御する制御手段と、
前記受信手段により受信された画像データに基づく画像に所定のパターン画像を付加した画像を前記印刷手段により印刷する確認印刷モードを設定するモード設定手段と、を有し、
前記制御手段は前記確認印刷モードが設定されている間は、前記留め置き設定がなされていない場合も、前記受信手段により画像データを受信した後に前記受付手段により前記ユーザ操作を受付けたことに従って、前記印刷手段に印刷を開始させるよう制御することを特徴とする画像形成装置。
【請求項２】
前記画像形成装置は画像データに基づく画像の印刷に伴い更新される課金カウンタ、を有し、
前記確認印刷モードが設定されている間は前記課金カウンタのカウントを更新しないことを特徴とする請求項１に記載の画像形成装置。
【請求項３】
前記課金カウンタは前記印刷手段により印刷されたシートの枚数に応じてカウントを行うことを特徴とする請求項２に記載の画像形成装置。
【請求項４】
前記受信手段により受信した画像データを記憶する記憶手段、を有し、
前記制御手段は、前記確認印刷モードが設定されている間に前記受信手段により受信した画像データを前記記憶手段に記憶するよう制御し、
前記印刷手段は、前記確認印刷モードの設定が解除されたことに従って、前記確認印刷モードが設定されている間に前記記憶手段に記憶された前記画像データに基づく印刷を開始することを特徴とする請求項１乃至３のいずれか一項に記載の画像形成装置。
【請求項５】
前記制御手段は、前記確認印刷モードが設定されている間は、前記受信手段により受信した画像データに所定のパスワードを付与して前記記憶手段に記憶するよう制御し、ユーザにより入力されたパスワードを受付け、受付けた前記パスワードが前記画像データに付与された前記所定のパスワードと一致したことに従って、前記印刷手段により前記記憶手段に記憶された画像データに基づく画像の印刷を開始するよう制御することを特徴とする請求項４記載の画像形成装置。
【請求項６】
前記所定のパスワードは工場出荷時に決められるパスワードであることを特徴とする請求項５に記載の画像形成装置。
【請求項７】
前記所定のパターン画像は格子模様であることを特徴とする請求項１乃至６のいずれか一項に記載の画像形成装置。
【請求項８】
前記確認印刷モードが設定されている間の前記印刷手段による印刷に応じてカウンタの更新を行う非課金カウンタを有する請求項１乃至７のいずれか一項に記載の画像形成装置。
【請求項９】
印刷手段を有する画像形成装置の制御方法であって、
情報処理装置から画像データを受信する受信ステップと、
留め置き設定が設定されている場合に、前記受信ステップにおいて画像データを受信した後に、前記画像データの印刷開始の指示を受付けたことに従って前記画像データに基づく画像を印刷開始させ、
留め置き設定がなされていない場合に、前記印刷開始の指示を受付けることなく前記画像データに基づく画像の印刷を開始するよう制御する制御ステップと、を有し、
前記制御ステップは前記受信ステップにおいて受信された画像データに基づく画像に所定のパターン画像を付加した画像を前記印刷手段により印刷する確認印刷モードが設定されている間は、前記制御ステップにおいて、前記留め置き設定がなされていない場合も、前記受信ステップにおいて画像データを受信した後に、前記画像データの印刷開始の指示を受付けたことに従って前記画像データに基づく画像の印刷を開始するよう制御することを特徴とする画像形成装置の制御方法。
【請求項１０】
請求項９に記載の画像形成装置の制御方法をコンピュータに実行させるためのプログラム。
【発明の詳細な説明】
【技術分野】
【０００１】
本発明は、画像形成装置、その制御方法、及びプログラムに関するものである。
【背景技術】
【０００２】
プリントやコピー等の印刷機能を有する画像形成装置の動作モードには、ユーザが通常使用する場合に用いる通常モードに加え、サービスマンが画像形成装置で印刷が正しく行えるかを確認するための印刷を行う確認印刷モードがある。確認印刷モードでは、サービスマンがユーザのＰＣ等の情報処理装置から画像データを画像形成装置に送信し、画像処理装置において確認印刷を行う。特許文献１には、確認印刷モードにおいて印刷される印刷物には確認印刷用の印刷であることがわかるよう、格子模様等の所定のパターン画像が付加されて印刷されることが記載されている。
【０００３】
また、情報処理装置から受信した画像データについて、ユーザによる印刷開始操作があるまで印刷を開始せず、印刷開始操作に従って印刷を開始する強制留め置き設定をすることのできる画像形成装置がある。
【０００４】
上記の二つの機能を有する画像形成装置では、確認印刷モードと強制留置き設定を併用することができる。二つの機能を利用することで、確認印刷モード設定中に画像形成装置が画像データを受信し、直ぐに画像の印刷が開始されてしまうことを防ぐことができる。このようにすることで、一般のユーザが確認印刷モード設定中であることを知らずに画像データを画像形成装置に送信してしまっても、直ぐに格子模様の付加された印刷が開始されることはなくなる。画像形成装置が画像データを受信してから直ぐに印刷を開始しないようにすることで、印刷が開始される前にユーザが画像形成装置の設置箇所に行き、メンテナンス中であることを知るなど、メンテナンス中であることを知る機会をつくることができる。
【先行技術文献】
【特許文献】
【０００５】
【特許文献１】特開２０１５−２３７２号公報
【発明の概要】
【発明が解決しようとする課題】
【０００６】
通常モード設定時に強制留め置き設定をオフにしている場合、確認印刷モード設定時に強制留め置き印刷を併用するためには以下の操作が必要である。
【０００７】
確認印刷モード設定時にサービスマンが強制留め置き設定を開始し、確認印刷モード設定を解除するときに強制留置き設定をサービスマンが解除する。これらの操作はサービスマンによる手作業で行われるため手間がかかってしまう。
【０００８】
本発明は、通常モード設定時に確認印刷モードが設定されていない画像形成装置において、確認印刷モード設定時に強制留め置き設定をサービスマンが設定する手間をなくすことを目的とする。
【課題を解決するための手段】
【０００９】
本発明における画像形成装置は、情報処理装置から画像データを受信する受信手段と、画像データに基づいて画像を印刷する印刷手段と、印刷開始を指示するユーザ操作を受付ける受付手段と、前記受信手段により受信される画像データの留め置き設定を設定する留め置き設定手段と、前記留め置き設定が設定されている場合、前記受信手段により画像データを受信した後に前記受付手段により前記ユーザ操作を受け付けたことに従って、前記印刷手段に前記画像データに基づく画像の印刷を開始させ、前記留め置き設定がなされていない場合、前記受付手段により前記ユーザ操作を受け付けることなく、前記印刷手段に前記画像データに基づく画像の印刷を開始させるよう制御する制御手段と、前記受信手段により受信された画像データに基づく画像に所定のパターン画像を付加した画像を前記印刷手段により印刷する確認印刷モードを設定するモード設定手段と、を有し、前記制御手段は前記確認印刷モードが設定されている間は、前記留め置き設定がなされていない場合も、前記受信手段により画像データを受信した後に前記受付手段により前記ユーザ操作を受付けたことに従って、前記印刷手段に印刷を開始させるよう制御することを特徴とする。
【発明の効果】
【００１０】
本発明によれば、通常モード設定時に確認印刷モードが設定されていない画像形成装置において、確認印刷モード設定時に強制留め置き設定をサービスマンが設定する手間をなくすことができる。
【図面の簡単な説明】
【００１１】
【図１】本発明の実施形態における画像形成システムの全体図である。
【図２】本発明の実施形態におけるＭＦＰ１０１の構成を示すブロック図である。
【図３】本発明の実施形態におけるＭＦＰ１０１の操作部１１６の外観を示す図である。
【図４】本発明の実施形態におけるディスプレイ３２０に表示される操作画面の一例を示す図である。
【図５】本発明の実施形態におけるディスプレイ３２０に表示される操作画面の一例を示す図である。
【図６】本発明の実施形態における印刷される画像の例を示す図である。
【図７】本発明の実施形態におけるＭＦＰ１０１の動作モードを確認印刷モードに設定するための処理を示すフローチャートである。
【図８】本発明の第１の実施形態における印刷ジョブの受信時の処理を表すフローチャートである。
【図９】本発明の実施形態における印刷する印刷ジョブが指定されたときの処理を表すフローチャートである。
【図１０】本発明の実施形態における確認印刷モードが解除されたときになされる処理を表すフローチャートである。
【図１１】本発明の第２の実施形態における印刷ジョブの受信時の処理を表すフローチャートである。
【発明を実施するための形態】
【００１２】
（第１の実施形態）
以下、本発明を実施するための形態について図面を用いて説明する。
【００１３】
まず、本発明の第１の実施形態について説明する。
【００１４】
図１は、本実施形態に係る画像形成システムを示すブロック図である。ネットワーク１００上には、ＭＦＰ（Ｍｕｌｔｉｆｕｎｃｔｉｏｎ  Ｐｅｒｉｐｈｅｒａｌ）１０１、ＰＣ１０２が互いに通信可能に接続されている。本実施形態では画像形成装置の一例としてＭＦＰ１０１を、情報処理装置の一例としてＰＣ１０２を用いて説明する。ＭＦＰ１０１やＰＣ１０２は、ネットワーク１００を介してインターネット（不図示）と接続され、ＭＦＰ１０１はＰＣ１０２から印刷データを受信することができる。
【００１５】
まず、ＰＣ１０２について説明する。ＰＣ１０２には、プリンタドライバ１０３がインストールされている。ＰＣ１０２は、ネットワーク１００を介して外部の装置（本実施形態では画像形成装置１０１）に作成した画像データを送信することができる。
【００１６】
次に、ＭＦＰ１０１について説明する。ＭＦＰ１０１はシート上の画像を読み取る読取部や、読取部で読み取った画像データやＰＣ１０２から受信した画像データに基づいてシートに画像を印刷する印刷部を有する。
【００１７】
図２は、本実施形態に係るＭＦＰ１０１の構成を示すブロック図である。ＣＰＵ１１１を含む制御部１１０は、ＭＦＰ１０１全体の動作を制御する。ＣＰＵ１１１は、ＲＯＭ１１２又はストレージ１１４に記憶された制御プログラムを読み出して、読取部１１８や印刷部１２０などの各部の制御を行う。ＲＯＭ１１２は、ＣＰＵ１１１で実行可能な制御プログラムを格納する。また、ＲＯＭ１１２は、ブートシーケンスやフォント情報などを格納する。ＲＡＭ１１３は、ＣＰＵ１１１の主記憶メモリであり、ワークエリアとして用いられる。また、ＲＡＭ１１３は、ＲＯＭ１１２及びストレージ１１４に格納された各種制御プログラムを展開するための一時記憶領域として用いられる。ストレージ１１４は、画像データ、印刷データ、各種プログラム、及び各種設定情報を記憶する。本実施形態ではストレージ１１４をフラッシュメモリとして説明する。しかし、ストレージ１１４としてフラッシュメモリ以外のＳＳＤ（Ｓｏｌｉｄ  Ｓｔａｔｅ  Ｄｅｖｉｃｅ）やＨＤＤなどの補助記憶装置を用いることとしても良い。
【００１８】
なお、本実施形態のＭＦＰ１０１では、１つのＣＰＵ１１１と１つのメモリ（ＲＡＭ１１３）とを用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することとしてもよい。また、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）等のハードウェア回路を用いて一部の処理を実行することとしてもよい。
【００１９】
操作部Ｉ／Ｆ１１５は、操作部１１６と制御部１１０を接続する。操作部１１６は、ＬＣＤ等のディスプレイおよびタッチパネル等の入力装置から構成されユーザに対して画像形成装置の情報を表示したり、ユーザからの入力を受け付けたりする。
【００２０】
読取部Ｉ／Ｆ１１７は、読取部１１８と制御部１１０を接続する。読取部１１８はシート上の画像を読み取って、その画像をバイナリーデータなどの画像データに変換する。読取部１１８によって生成された画像データは、ネットワークを介してＰＣ等の外部装置に送信されたり、シート上に印刷されたりする。
【００２１】
印刷部Ｉ／Ｆ１１９は、印刷部１２０と制御部１１０を接続する。ＣＰＵ１１１は、印刷対象の画像データを印刷部Ｉ／Ｆ１１９を介して印刷部１２０に転送する。印刷部１２０は、給紙カセット１２４から給送されたシート上に受信した画像を印刷する。
【００２２】
また、制御部１１０は、通信部Ｉ／Ｆ１２３を介してネットワーク１００に接続される。通信部Ｉ／Ｆ１２３は、ネットワーク１００上の外部装置に画像データや情報を送信したり、ネットワーク１００上の情報処理装置から印刷データや情報を受信したりする。
【００２３】
ネットワークを介した印刷データの送受信の方法は、例えば前述した電子メールを用いた送受信があげられる。その他にも、ＦＴＰ（Ｆｉｌｅ  Ｔｒａｎｓｆｅｒ  Ｐｒｏｔｏｃｏｌ）やＳＭＢ（Ｓｅｒｖｅｒ  ｍｅｓｓａｇｅ  Ｂｌｏｃｋ）等のプロトコルを用いた送受信がある。更に、ＭＦＰ１０１はモデム及びＰＳＴＮ（Ｐｕｂｌｉｃ  Ｓｗｉｔｃｈｅｄ  Ｔｅｌｅｐｈｏｎｅ  Ｎｅｔｗｏｒｋ）を介して外部のファクス装置との間におけるファクシミリデータの送受信を行うこともできる。
【００２４】
また、ＳＲＡＭ（Ｓｔａｔｉｃ  Ｒａｎｄｏｍ  Ａｃｃｅｓｓ  Ｍｅｍｏｒｙ）１２５は不揮発性の記憶媒体であり、ＭＦＰ１０１の課金カウンタや非課金カウンタ等、各種カウンタ情報１２６を記憶する。本実施形態で説明するＭＦＰ１０１はユーザの印刷した印刷枚数に基づいてユーザに対して課金を行うＭＦＰである。そのため、ユーザが印刷を行った印刷枚数を管理するための課金カウンタを備えている。サービスマンがＭＦＰ１０１の各種パラメータの調整を行うにあたり印刷した印刷物や調整を行った後に行うテストプリントはユーザによる印刷ではないため課金対象から除外する必要がある。そこで、ＭＦＰ１０１は課金の対象とならないサービスマンが行ったテストプリントをカウントするための非課金カウンタを備えている。
【００２５】
次に、以上の構成を備えたＭＦＰ１０１における課金管理の仕組みについて説明する。
【００２６】
ＭＦＰ１０１は、ネットワーク１００及び通信部Ｉ／Ｆ１２３、又は読取部１１８を介して入力される画像データに基づいて画像を印刷部１２０で印刷する。印刷部１２０で画像データに基づいてシートを一枚印刷する毎に、課金の対象である印刷物の印刷枚数をカウントする課金カウンタのカウントを一つ増やす。課金カウンタによってカウントされた印刷枚数の情報は、外部のＰＣ１０２によって取得することが可能であり、この情報に基づいて後にＭＦＰ１０１の利用者に対し課金する金額が決定される。
【００２７】
本実施形態のＭＦＰ１０１は「通常モード」「メンテナンスモード」「確認印刷モード」の３つの動作モードを持つ。
【００２８】
「通常モード」は、一般のユーザがコピー機能、プリント機能、スキャナ機能、及びファクシミリ機能を利用するために操作をする動作モードである。
【００２９】
「メンテナンスモード」は、サービスマンがＭＦＰ１０１を使用する動作モードであり、サービスマンがＭＦＰ１０１のメンテナンス作業を行うための動作モードである。メンテナンス作業とは、例えば、画像の乱れや色ずれが発生した時に、ＭＦＰ１０１の各種パラメータの設定を確認、又は変更する作業である。また、画像調整用にテストパターンを印刷するための試験用プリントを実行することもメンテナンス作業の１つに含まれる。さらに、印刷した印刷物の枚数をカウントするためのカウンタ情報や、ＭＦＰ１０１のファームウェアやソフトウェアのバージョンを確認する作業などもメンテナンス作業に含まれる。
【００３０】
「確認印刷モード」は、サービスマンがコピーやプリント機能を利用するためのモードである。このモードは、サービスマンが画像の色調整等メンテナンスをした後に通常のコピーやプリントを行う場合に利用する。印刷した印刷結果をサービスマンが確認して色や画像の乱れが起こっておらず、正しく調整を行えたかどうかを判断する。確認印刷モードが設定されているときの印刷部１２０による印刷は印刷結果を確認するためのテストプリントである。テストプリントとして印刷される印刷物には印刷する画像に格子模様等予め決められた模様を重畳して印刷する。このように予め決められた模様等を重畳して印刷することで、サービスマンがテストプリントを行った印刷物がどれであるかをわかりやすくすることができる。
【００３１】
確認印刷モードを設定するためには、動作モードを一度、通常モードからメンテナンスモードに切り替え、その後メンテナスモードのメンテナンスモードメニュー画面から確認印刷モードを設定する。また、確認印刷モードを解除するときも、一度、動作モードをメンテナンスモードに切り替え、メンテナンスモードメニュー画面から確認印刷モードを終了する。また、上記の方法の他にサービスマンが確認印刷モードを設定し、所定の時間が経過したことに従って確認印刷モードが解除される。
【００３２】
なお、メンテナンスモードや確認印刷モードにおいて実行したコピージョブやプリントジョブは画像形成装置の調整を行うためにサービスマンが利用したコピージョブやプリントジョブであるため課金対象から除かれるジョブである。そこで、メンテナンスモードや確認印刷モードにおいてコピージョブやプリントジョブを実行した場合、非課金カウンタのカウントを印刷したシートの枚数分更新する。
【００３３】
ＭＦＰ１０１は上述した「通常モード」「メンテナンスモード」「確認印刷モード」の３つの何れかの動作モードで動作するが、各動作モードで表示される操作画面は異なる。各動作モードにおける操作画面については図４および図５を用いて後述する。
【００３４】
図３は、ＭＦＰ１０１の操作部１１６を示す外観図である。操作部１１６は、後述する操作画面を表示するディスプレイ３２０及び各種のハードキーからなる。ディスプレイ３２０はタッチパネルと一体となるように設けられている。例えば、タッチパネルの光の透過率がディスプレイ３２０の表示を遮らないような構成をしており、タッチパネルがディスプレイ３２０の上層に取り付けられている。タッチパネルにおけるユーザのタッチ位置をしめす入力座標と、ディスプレイ３２０上の表示座標とを対応付ける。このようにすることで、あたかもユーザがディスプレイ３２０に表示された画面を直接的にタッチして操作しているかのように操作することが可能になる。ディスプレイ３２０及び各種のハードキーはユーザからの指示を受け付ける。
【００３５】
操作部１１６にはディスプレイ３２０上に表示される画面上の選択肢を選択するためのスクロールキー３１２Ｕ、３１２Ｄ、３１２Ｌ、３１２Ｒと、スクロールキーによって選択された選択肢を決定するためのＯＫキー３１１が備えられている。ユーザは、スクロールキー３１２とＯＫキー３１１を用いてディスプレイ３２０に表示される画面に示された選択肢から１つの項目を選択することができる。また、ユーザは、ディスプレイ３２０に表示される選択肢を指やスタイラス等タッチペンで直接タッチし、選択肢を決定することもできる。
【００３６】
状況確認ボタン３０２はディスプレイ３２０にＭＦＰ１０１の状態を確認する画面（状況確認画面）を表示するためのキーである。状況確認画面とは、ＭＦＰ１０１のシリアルナンバーの表示やカートリッジの状態等ＭＦＰ１０１のデバイスに関する情報やコピー・プリントジョブの状況を表示するための画面である。ユーザは、状況確認画面を介して実行中のプリントジョブの状態を確認することができる。
【００３７】
ランプ３１３及びランプ３１４はＭＦＰの状態をユーザに通知するものである。ランプ３１３は、電子メールや印刷ジョブの受信中や実行中に点灯し、ランプ３１４はＭＦＰ１０１に紙詰まりやトナー切れ等何らかのエラーが発生した際に点灯する。
【００３８】
ストップキー３１５は、ジョブのキャンセルを指示することが出来る。たとえば、外部の情報処理装置から画像データの受信中にストップキー３１５を押下することで、画像データの受信を中止することができる。また、印刷中にストップキー３１５を押下することで印刷処理を中断することができる。
【００３９】
スタートキー３１６、３１７は、ジョブの開始を指示するためのボタンである。図４（ａ１）（ａ２）に示す、コピー機能、スキャン機能、ファクス機能など各機能の基本画面がディスプレイ３２０に表示された状態でスタートキー３１６または３１７が押下されることで各機能にかかる処理が開始される。スタートキー３１６は白黒スタートキー、スタートキー３１７はカラースタートキーであり、それぞれ対応するカラーモードでのジョブ開始指示を行う。
【００４０】
ここで説明した各種キーは、同様の機能のボタンを、ディスプレイ３２０に表示し、タッチパネルの入力により処理を実行することも可能とする。
【００４１】
図４は、ＣＰＵ１１１が操作部１１６のディスプレイ３２０に表示する操作画面の一例を示す図である。
【００４２】
図４（ａ１）はＭＦＰ１０１の動作モードが通常モードのときのホーム画面の一例である。ホーム画面９００にはＭＦＰ１０１の有する各種機能の基本画面を表示するためのボタンが表示されている。各種機能とは例えば、コピー機能、ファクス機能、スキャン機能等である。操作部１１６に設けられた、スクロールキー３１２Ｌ、３１２Ｕ、３１２Ｒ、３１２Ｄで使用する機能を選択し、ＯＫキー３１１を押下して使用する機能を決定する。また、ハードキーを用いずに、ディスプレイ３２０をユーザがタッチ操作して、利用する機能を決定することとしてもよい。
【００４３】
「コピー」ボタン９０１はコピー機能の基本画面を表示するためのボタンであり、ユーザが「コピー」ボタン９０１をタッチまたは選択したことに従って、ディスプレイ３２０にコピー機能の基本画面を表示する。「ファクス」ボタン９０２はファクス機能の基本画面を表示するためのボタンである。「スキャン」ボタン９０３はスキャナ機能の基本画面を表示するためのボタンである。
【００４４】
図４（ａ２）はＭＦＰ１０１の動作モードが確認印刷モードに設定されているときのホーム画面である。画面に確認印刷モードが設定されていることを表示することで、サービスマンに今設定されている動作モードが確認印刷モードであることを知らせることができる。
【００４５】
本実施形態では、確認印刷モード設定中はホーム画面に確認印刷モード設定中の旨を表示することとして説明する。しかし、通常モードと確認印刷モードのどちらのモードを設定している場合にも、ディスプレイ３２０に図４（ａ１）に示す現在の動作モードを通知していないホーム画面を表示することとしてもよい。
【００４６】
図４（ｂ１）は、ディスプレイ３２０に表示される通常モード設定時におけるコピー機能の基本画面の一例である。図４（ａ１）に示す通常モード設定時のメニュー画面において、「コピー」ボタン９０１をユーザがタッチまたは選択すると、図４（ｂ１）に示すコピー機能の基本画面がディスプレイ３２０に表示される。
【００４７】
コピー機能の基本画面４００は縦７行分の文字列を表示することのできる表示欄から構成される。１行目には、どの機能についての画面であるかがわかるメッセージを表示する。例えば、図４（ｂ１）はコピー機能の基本画面であるため、「コピー開始：スタートキー」というメッセージを表示する。２行目には、現在のモードを示す情報を表示する。ただし、通常モードの場合は、２行目にモードの表示を行わない。図４（ｂ１）は通常モードにおける基本画面の表示であるため、動作モードの表示を行わない。本実施形態では、通常モードの場合に２行目の表示を行わないとして説明するが、通常モードの場合も２行目にモードの表示を行うこととしてもよい。
【００４８】
４０１で示される３〜７行目の領域には各機能の設定項目の一部が表示される。図４（ｂ１）はコピー機能を利用するときの基本画面であるため、コピー機能に対応する設定項目の一部が表示される。色の反転している項目は現在選択されている項目であり、スクロールキー３１２Ｕ、３１２Ｄのいずれかを押下することで、選択項目を変更することができる。また、ある項目を選択した状態でＯＫキー３１１を押下すると、選択された項目の設定を変更することができる。スクロールキー３１２Ｕ、３１２Ｄの操作及びＯＫキー３１１の押下の他、設定したい設定項目をタッチすることで設定を変更することができることとしてもよい。
【００４９】
図４（ｂ２）は、確認印刷モード設定時にディスプレイ３２０に表示されるコピー機能の基本画面の一例である。図４（ａ２）に示す確認印刷モード設定されているときのメニュー画面において、「コピー」ボタンがタッチまたは選択されると、図４（ｂ２）に示される確認印刷モード設定中のコピー機能の基本画面がディスプレイ３２０に表示される。
【００５０】
ＭＦＰ１０１の動作モードが確認印刷モードであるため、図４（２ｂ）の２行目に確認印刷モードである旨を表示する。この表示により、サービスマンは現在のＭＦＰ１０１の動作モードが確認印刷モードであることを確認することができる。
【００５１】
図４（ｃ１）、（ｃ２）は、ディスプレイ３２０に表示されるメンテナンスモードメニュー画面の一例である。メンテナンスモードメニュー画面５００はサービスマンがメンテナンスモードを開始するための特別な操作を行うことによって表示される。メンテナンスモードを開始するための特別な操作とは、例えば、サービスマン専用のＩＤとパスワードを入力したり、操作部１１６に備えられた所定のキーの長押し、または複数のキーの同時押し等の特別な操作である。これらのメンテナンスモードを開始するための特別な操作はサービスマンのみが知っているものとし、一般のユーザには開示されない。また、サービスマン専用のＩＣカード等を用いてユーザ認証を行い、メンテナンスモードを開始することとしてもよい。
【００５２】
図４（ｃ１）は、確認印刷モードが設定されているか否かを示す作業中フラグがＯＦＦのときに、ディスプレイ３２０に表示されるメンテナンスモードメニュー画面である。「確認印刷モード設定」ボタン５０１はメンテナンスモードメニュー画面から確認印刷モードの開始を指示するための設定項目である。ユーザが「確認印刷モード設定」ボタン５０１をタッチまたは選択したことに従って、ＭＦＰ１０１は作業中フラグをＯＮにする。
【００５３】
図４（ｃ２）は、作業中フラグがＯＮになっているときに、表示されるメンテナンスモードメニュー画面である。「確認印刷モード設定解除」ボタン５０２は、確認印刷モードの終了を指示するための設定項目である。サービスマンが「確認印刷モード設定解除」ボタン５０２をタッチまたは選択することでＭＦＰ０１は確認印刷モードを終了する。本実施形態では、上記の方法の他に確認印刷モードが設定されてから所定時間が経過することでＭＦＰ１０１は確認印刷モードを終了する。
【００５４】
本実施形態では、上記の二つの方法を、確認印刷モードを終了するための方法として説明するが、上記に記す方法以外の方法で確認印刷モードを終了することとしてもよい。例えば、確認印刷モード設定中にサービスマンが所定時間操作を行わなかった場合に確認印刷モードを終了することとしてもよい。また、ＭＦＰ１０１をユーザが最後に操作してから所定時間が経過し、ＭＦＰ１０１がスリープ状態になった後、スリープ状態から復帰する際に確認印刷モードを終了することとしてもよい。
【００５５】
図４（ｃ１）、（ｃ２）の「試験用プリント」ボタン５０３は印刷物の画像の乱れや色ずれを調べるための画像の印刷を指示するボタンである。試験用プリントは予めＭＦＰ１０１に記憶されている所定の画像を印刷する。試験用プリントは試験用の特別な画像の印刷であるため、印刷時に格子模様等所定のパターン画像を重畳せずに印刷する。また、試験用プリントはサービスマンがＭＦＰ１０１の調整のために行う印刷であるため課金対象の印刷物から除かれる。そして、印刷したシートの印刷枚数がＳＲＡＭ１２５内の非課金カウンタでカウントされる。
【００５６】
メンテナンスメニュー画面の表示を終了し、メンテナンスモードを終了するためには、サービスマンによる特別な操作が必要である。特別な操作とはサービスマン専用のＩＤとパスワードの入力や操作部１１６のボタンの長押し等の操作である。上記の特別な操作はサービスマンのみが知っているものであり、一般のユーザには開示されない。また、上記の方法以外でも、メンテナンスモードメニュー画面が表示された状態でサービスマンがなにも操作しない時間が所定時間以上経過したいことにしたがってメンテナンスモードを終了し、メンテナンスモードメニュー画面の表示を終了することとする。
【００５７】
図５に操作部１１６の状況確認ボタン３０２が押下されたときにディスプレイ３２０に表示される操作画面の一例を示す。
【００５８】
図５（ａ１）は、状況確認ボタン３０２が押下された場合にディスプレイ３２０に表示される、状況確認画面６００の一例である。状況確認画面６００はＭＦＰ１０１のシリアルナンバーやコピー／プリントジョブの状態、送信ジョブおよび受信ジョブの状態、ＩＰアドレス等のネットワーク情報を表示するための画面である。状況確認画面６００において、ユーザが状況確認画面６００の「コピー／プリントジョブ」ボタン６０１をタッチまたは選択すると、図５（ａ２）に示すコピー／プリントジョブ画面６０２がディスプレイ３２０に表示される。
【００５９】
図５（ａ２）に示すコピー／プリントジョブ画面６０２はコピー機能やプリント機能のジョブの状況やジョブ履歴を表示するための画面である。
【００６０】
ユーザが図５（ａ２）に示すコピー／プリントジョブ画面６０２において「ジョブ状況」ボタン６０３をタッチまたは選択した場合、ＭＦＰ１０１はディスプレイ３２０に図５（ａ３）に示すジョブ状況画面６０４を表示する。
【００６１】
ジョブ状況画面６０４では、ストレージ１１４に蓄積されたジョブの一覧をディスプレイ３２０に表示する。図５（ａ３）では、ジョブの種類とともに、ストレージ１１４に記憶されているジョブの名前とジョブが記憶された時間が表示されている。例えば、６０５よりｓｅｒｖｉｃｅ．ｐｄｆという文書名の印刷ジョブが１４時２８分に記憶されたことがわかる。本実施形態では強制留め置き設定、または印刷ジョブ毎の留め置き設定をＯＮにすることで、ＰＣ１０２から受信したジョブをストレージ１１４に蓄積することができる。強制留め置き設定とはＭＦＰ１０１においてユーザがディスプレイ３２０を介して設定する設定である。強制留め置き設定がＯＮに設定されている場合、ＣＰＵ１１１はプリンタドライバ１０３で行われた設定にかかわらずＰＣ１０２から受信した印刷ジョブをストレージ１１４に蓄積する。本実施形態ではＭＦＰ１０１のディスプレイ３２０を介して強制留め置き設定を設定することとして説明する。強制留め置き設定を設定する方法は上記の方法にかぎらない。例えば、ＭＦＰ１０１と接続されたＰＣを介して、ＭＦＰ１０１の強制留め置き設定のＯＮ、ＯＦＦを設定することとしてもよい。
【００６２】
一方で、印刷ジョブ毎の留め置き設定はＰＣ１０２のプリンタドライバ１０３を用いて設定される。ＣＰＵ１１１は受信した印刷ジョブについて留め置き設定がなされているかを判定する。ジョブ毎の留め置き設定がなされている場合、ＣＰＵ１１１は受信した印刷ジョブをストレージ１１４に留め置く。一方で、ジョブ毎の留め置き設定がなされていないとき、ＣＰＵ１１１はＰＣ１０２から印刷ジョブを受信したことに従って印刷を開始する。
【００６３】
図５（ｂ１）〜（ｂ３）に示す画面７０１〜７０３は第１の実施形態に係るポップアップ画面の例である。ジョブ状況画面６０４において、ユーザが印刷するジョブを選択すると、ディスプレイ３２０に画面７０１が表示される。画面７０１はユーザの選択したジョブを印刷するか否かをユーザに問合せるための画面である。ユーザが画面７０１の「はい」ボタン７０４を選択すると、ディスプレイ３２０に図５（ｂ２）に示すジョブ実行中画面７０２が表示され、ＭＦＰ１０１は画像の印刷を開始する。第１の実施形態では、「はい」ボタン７０４の押下が印刷開始指示となり印刷が開始される。画面７０１において、ユーザが「いいえ」ボタン７０５を選択すると、ＭＦＰ１０１はディスプレイ３２０にジョブ状況画面６０４を表示する。ジョブ実行中画面７０２においてユーザが「中止」ボタン７０６または操作部１１６のストップキー３１５を押下した場合、図５（ｂ３）に示すキャンセル確認画面７０３がディスプレイ３２０に表示される。キャンセル確認画面７０３において「はい」ボタンをユーザが選択した場合、ＭＦＰ１０１は印刷を中止し、「いいえ」ボタンを選択した場合、ＭＦＰ１０１は引き続き印刷を行う。
【００６４】
図５（ｃ１）、（ｃ２）に示す画面８００および８０１は、ジョブ状況画面６０４で選択された印刷ジョブにパスワードが付与されていた場合にディスプレイ３２０に表示される画面である。
【００６５】
図５（ｃ１）に示すパスワード入力画面８００はジョブ状況画面６０４で選択された印刷ジョブにパスワードが付与されていた場合に表示される、ユーザがパスワードを入力するための画面である。ユーザは操作部１１６のハードキー等を用いてパスワードの入力を行い、ＯＫキー３１１が押下されるとＭＦＰ１０１がパスワードの認証処理を実行する。
【００６６】
図５（ｃ２）に示すエラー画面８０１はユーザが入力したパスワードが印刷ジョブに付与されたパスワードと一致しなかった場合にディスプレイ３２０に表示される画面である。ユーザが「閉じる」ボタンを選択すると、ディスプレイ３２０にパスワード入力画面８００が表示される。
【００６７】
ここで、本実施形態におけるＭＦＰ１０１の動作の流れを説明する。
【００６８】
第１の実施形態では、ＭＦＰ１０１の動作モードが確認印刷モードであるとき、ネットワークを介してＰＣ１０２から受信したジョブをＭＦＰ１０１のストレージ１１４に記憶する。
【００６９】
サービスマンはＭＦＰ１０１とネットワークを介して接続されたＰＣ１０２からテストプリントを行うための画像データをＭＦＰ１０１に送信する。
【００７０】
ＣＰＵ１１１はＰＣ１０２から受信した印刷ジョブをストレージ１１４に記憶し、その印刷ジョブに関する情報をジョブ状況画面６０４に表示される印刷ジョブのリストに追加する。
【００７１】
サービスマンはＭＦＰ１０１を操作し、ジョブ状況画面６０４のジョブのリストからＰＣ１０２から投入したジョブを選択し印刷を行う。ＭＦＰ１０１の動作モードは確認印刷モードであるため、サービスマンが選択したジョブは格子模様が付されて印刷される。
【００７２】
一方で、確認印刷モード設定中にサービスマンでない一般のユーザがＭＦＰ１０１の動作モードが確認印刷モードであることを知らずにＰＣ１０２から印刷ジョブをＭＦＰ１０１に送信したとする。確認印刷モード設定中はＰＣ１０２で行った設定に係わらず、ＰＣ１０２から投入されたジョブはストレージ１１４に記憶される。そのため、ユーザが印刷ジョブを送信してもすぐに印刷が開始されることはない。これにより、ユーザがＭＦＰ１０１が確認印刷モードであることを知らずに、画像をＭＦＰ１０１に送信した場合に、ユーザが画像形成装置の設置場所に到着する前に格子模様の付された画像の印刷が開始されてしまうことを防ぐことができる。
【００７３】
図６は通常モードおよび確認印刷モード設定時に印刷される画像の例を示す図である。
【００７４】
図６の９００は通常モードで印刷される画像である。通常モード設定時はネットワーク１００を介して受信した画像データに基づいて画像を印刷する。通常モードが設定されている場合、ユーザがプリンタドライバを用いて行った設定に従って画像データを生成し、画像の印刷を行う。
【００７５】
図６の９０１は確認印刷モード設定時に画像データに重畳するパターン画像の一例である。本実施形態では、読取部１１８を用いて読みとった画像データやネットワーク１００を介して受信した画像データに９０１に示す格子パターンを重畳することとして説明する。
【００７６】
図６の９０２は確認印刷モードにおいて印刷される印刷物の一例である。確認印刷モードでは、ネットワーク１００を介して受信した画像データに、格子模様等の所定のパターン画像を重畳した画像を印刷する。確認印刷モードが設定されている場合、ユーザがプリンタドライバを用いて行った設定に加え、印刷するシート全体に９０１に示すパターン画像を重畳して印刷する。このように確認印刷モードでは、ユーザがプリンタドライバ１０３で行った設定を反映した画像に特定のパターン画像が重畳して印刷されるため、得られる印刷物がテストプリントであることを明らかにすることができる。
【００７７】
図７はＭＦＰ１０１の動作モードの遷移を説明するフローチャートである。図７で示される処理手順は、ＭＦＰ１０１がメンテナンスモードを開始したことに従って開始される。ＭＦＰ１０１がメンテナンスモードを開始するための方法は、前述した通りであり、サービスマンが特殊な操作を行うことでメンテナンスモードを開始する。
【００７８】
図７に示す処理を実行するためのプログラムはＲＯＭ１１２又はストレージ１１４に記憶されており、ＲＯＭ１１２またはストレージ１１４に記憶されたプログラムをＲＡＭ１１３に展開してＣＰＵ１１１が実行することで各処理が実現される。
【００７９】
ＭＦＰ１０１の操作部１１６において、メンテナンスモードに入るための、サービスマンしか知り得ない特別な操作が実行されたことに従って、ＣＰＵ１１１はＭＦＰ１０１の動作モードをメンテナンスモードに切り替える（Ｓ１００１）。
【００８０】
次に、ＣＰＵ１１１はＲＡＭ１１３に記憶されている作業中フラグがＯＮかＯＦＦかを判定する（Ｓ１００２）。作業中フラグはＭＦＰ１０１の動作モードが確認印刷モードであるかを判定するための制御フラグ（ＯＦＦ／ＯＮ）である。なお、確認印刷モードの設定に関する制御フラグは、ＭＦＰ１０１の起動時にＣＰＵ１１１によってＯＦＦに初期化される。従って、起動後、最初にメンテナンスモードに入ったときは、作業中フラグはＯＦＦとなっている。
【００８１】
作業中フラグがＯＦＦの場合、ＣＰＵ１１１は、図４（ｃ１）の「確認印刷モード設定」ボタン５０１を含む画面５００をディスプレイ３２０に表示する（Ｓ１００３）。
【００８２】
ＣＰＵ１１１はディスプレイに画面５００が表示された状態で、ユーザが行った操作が何であるかを判定する（Ｓ１００４）。ここでは、ユーザが行った操作が「確認印刷モード設定ボタン」５０１の押下またはメンテナンスモードを終了するための操作のいずれかであった場合について説明する。その他の操作についてはそれぞれの項目に対応する処理をＣＰＵ１１１が実行することとし、本フローチャートでは説明を行わないこととする。
【００８３】
ユーザの操作が「確認印刷モード設定」ボタン５０１であった場合、ＣＰＵ１１１は作業中フラグをＯＮにし、処理をＳ１００２に戻す（Ｓ１００５）。
【００８４】
一方、Ｓ１００２において作業中フラグがＯＮの場合、ＣＰＵ１１１は、図４の（ｃ２）の「確認印刷モード設定解除」ボタン５０２を含む画面５００をディスプレイ３２０に表示する（Ｓ１００６）。
【００８５】
次に、ＣＰＵ１１１はユーザが行った操作が何であるかを判定する（Ｓ１００７）。本フローチャートでは、「確認印刷モード設定解除」ボタン５０２の押下、メンテナンスモードを終了するための操作のいずれかであった場合について説明する。その他の操作については、それぞれの項目に対応する処理をＣＰＵ１１１が行うこととし、本フローチャートでは説明を行わないこととする。
【００８６】
「確認印刷モード設定解除」ボタン５０２が押下されたとＣＰＵ１１１が判断した場合、ＣＰＵ１１１は作業中フラグをＯＦＦにする（Ｓ１００８）。そして、ＣＰＵ１１１は処理をＳ１００２に戻す。
【００８７】
Ｓ１００４およびＳ１００７においてＣＰＵ１１１がメンテナンスモードを終了するための操作を受け付けた場合、ＣＰＵ１１１は作業中フラグがＯＮであるか否かを判定する（Ｓ１００９）。メンテナンスモードを終了するための操作は、サービスマンが行う所定の特別な操作である。あるいは、サービスマンが何も操作しない時間が所定時間経過したことによりメンテナンスモード画面の表示を終了することとしてもよい。
【００８８】
作業中フラグがＯＮであれば、ＣＰＵ１１１は動作モードを確認印刷モードに変更する（Ｓ１０１１）。ＣＰＵ１１１は動作モードを確認印刷モードとし、ディスプレイ３２０に図４（ａ２）に示す、ホーム画面を表示する。本実施形態では、ＣＰＵ１１１が動作モードを確認印刷モードに変更した後、ホーム画面を表示することとして説明する。しかし、ＣＰＵ１１１が動作モードを変更したのち、サービスマンがメンテナンスモードを開始するための操作を行ったときにディスプレイ３２０に表示されている画面に対応する画面をディスプレイ３２０に表示することとしてもよい。例えば、サービスマンがメンテナンスモードを開始するための操作を行ったときに図４（ｂ１）に示すコピー機能の基本画面が表示されていたとする。この場合に、メンテナンスモード終了後、図４（ｂ２）に示す確認印刷モード時のコピー機能の基本画面をディスプレイ３２０に表示することとしてもよい。
【００８９】
メンテナンスモードを終了するための操作が行われたときに、作業中フラグがＯＦＦであった場合、ＣＰＵ１１１は動作モードを通常モードへ変更する（Ｓ１０１０）。ＣＰＵ１１１は動作モードを通常モードとし、ディスプレイ３２０に図４（ａ１）に示すホーム画面を表示する。本実施形態では、通常モードに移行したのち、ディスプレイ３２０にホーム画面を表示する場合を例に説明をする。しかし、ＣＰＵ１１１は動作モードを通常モードにした後、メンテナンスモードを開始するための動作がおこなわれたときにディスプレイ３２０に表示されていた画面に対応する画面をディスプレイ３２０に表示することとしてもよい。例えば、図４（ｂ１）に示すコピー機能の基本画面でメンテナンスモードを開始するための操作が行われた場合、メンテナンスモード終了後、図４（ｂ１）に示すコピー機能の基本画面を表示する。
【００９０】
本実施形態ではＣＰＵ１１１が図７に示す処理を実行することによりＭＦＰ１０１の動作モードを確認印刷モードに設定する場合について説明した。しかし、ＭＦＰ１０１の動作モードを確認印刷モードに設定するための処理は上記の処理に限らない。
【００９１】
例えば、図７に示すフローチャートでは、Ｓ１００４において「確認印刷モード設定」ボタン５０１が押下されたときに、Ｓ１００５でＣＰＵ１１１が作業中フラグをＯＮにし、Ｓ１００２へ処理を戻すこととして説明した。しかし、Ｓ１００４でＣＰＵ１１１が「確認印刷モード設定」ボタン５０１の選択を受付ける。その後、Ｓ１００５において、ＣＰＵ１１１が作業中フラグをＯＮにし、ディスプレイ３２０に表示されているボタン５０１だけをボタン５０２に変更し、処理をＳ１００７へ進めることとしてもよい。Ｓ１００７で「確認印刷モード設定解除」ボタン５０２が選択された場合は、Ｓ１００８においてＣＰＵ１１１が作業中フラグをＯＦＦにする。その後、ディスプレイ３２０に表示されているボタンをボタン５０２からボタン５０１に変更し、処理をＳ１００４に進めることとしてもよい。
【００９２】
また、Ｓ１００５において作業中フラグを変更せずに、ＣＰＵ１１１がディスプレイ３２０に表示されている「確認印刷モード設定」ボタン５０１を「確認印刷モード設定解除ボタン」５０２に変更し、処理をＳ１００７に進める。さらに、Ｓ１００８において作業中フラグの変更を行わずに表示されているボタンをボタン５０２からボタン５０１に変更し、Ｓ１００４に処理を進める。そして、Ｓ１００４およびＳ１００７においてメンテナンスモードを終了させる操作がなされた場合に、ＣＰＵ１１１は現在、ディスプレイ３２０に表示されているボタンがボタン５０１かボタン５０２のどちらであるかを判定する。表示されているボタンが５０１であればＣＰＵ１１１は作業中フラグをＯＦＦにし、動作モードを通常モードに設定する。表示されているボタンが５０２であればＣＰＵ１１１は作業中フラグをＯＮにし、動作モードを確認印刷モードに設定することとしてもよい。
【００９３】
図８は、ネットワーク１００を介して接続されたＰＣ１０２から印刷ジョブを受信したときにＣＰＵ１１１が実行する処理の流れを示したフローチャートである。
【００９４】
図８に示すフローチャートの各ステップは、ＣＰＵ１１１がＲＯＭ１１２またはストレージ１１４に記憶された制御プログラムをＲＡＭ１１３に読み出して実行することによって実現される。ＣＰＵ１１１は、ネットワーク１００を介して外部のＰＣ１０２から印刷ジョブを受信したことに従って、以下の処理を実行する。
【００９５】
ＣＰＵ１１１はＰＣ１０２からの印刷ジョブを受信する（Ｓ２００１）。印刷ジョブとは画像データに加え、印刷時の設定や、画像データを画像形成装置に留め置くか否かの設定、パスワードの設定を含んでいるものである。たとえば、ＭＦＰ１０１がＰＣ１０２から印刷ジョブを受信後に、印刷開始指示がなされてから印刷を開始するか否かを示す留め置き設定がなされているかを示すフラグを印刷ジョブは保持している。留め置き設定に関するフラグはＰＣ１０２のプリンタドライバ１０３で行われる設定に従ってＯＮ、ＯＦＦが変更される。
【００９６】
本実施形態では、ネットワーク１００を介してＰＣ１０２から印刷ジョブを受信する場合を例に説明する。ただし、Ｓ２００１においてＣＰＵ１１１が受信する印刷ジョブは上記の印刷ジョブに限らない。たとえば、不図示の電話回線を介してファクシミリデータを受信して印刷するジョブを受信した場合を、印刷ジョブを受信した場合としてもよい。
【００９７】
ＣＰＵ１１１は受信した印刷ジョブに従って、画像データを生成する（Ｓ２００２）。Ｓ２００２において、ＣＰＵ１１１はユーザやサービスマンがプリンタドライバ１０３を用いて行った設定を反映した画像データを生成し、生成した画像をＲＡＭ１１３に記憶する。
【００９８】
ＣＰＵ１１１はＭＦＰ１０１の設定が強制留め置き設定ＯＮであるか否かを判定する（Ｓ２００３）。強制留め置き設定はユーザがＭＦＰ１０１のディスプレイ３２０を介して不図示の方法で設定する。ＣＰＵ１１１はユーザがディスプレイ３２０を介して設定を行ったことに従って、ストレージ１１４に記憶されている強制留め置き印刷設定がなされているか否かを示すフラグのＯＮ、ＯＦＦを変更する。Ｓ２００３においてＣＰＵ１１１はフラグを参照し、ＭＦＰ１０１において強制留め置き印刷設定がなされているか否かを判定する。
【００９９】
強制留め置き設定がＯＮになっている場合、ＣＰＵ１１１は受信した印刷ジョブがパスワード付きのジョブであるかを判定する（Ｓ２００８）。ここでのパスワードは、プリンタドライバ１０３を用いてユーザが設定するパスワードである。
【０１００】
パスワードが設定されている場合、印刷ジョブにパスワードを付与してストレージ１１４に記憶する（Ｓ２００９）。パスワードが設定されていない場合、ＣＰＵ１１１は印刷ジョブをストレージ１１４に記憶する（Ｓ２０１０）。このようにすることで、強制留め置き設定のされている印刷ジョブは受信後、逐次印刷が開始されることなくストレージ１１４に留め置かれる。
【０１０１】
強制留め置き設定がなされていなかった場合、ＣＰＵ１１１は作業中フラグがＯＮであるかを判定する（Ｓ２００４）。
【０１０２】
作業中フラグがＯＮである場合、ＭＦＰ１０１の動作モードは確認印刷モードである。ＭＦＰ１０１の動作モードが確認印刷モードであるとき、ＣＰＵ１１１は受信した印刷ジョブにパスワードが設定されているか否かを判定する（Ｓ２００８）。パスワードつきの印刷ジョブであれば、ＣＰＵ１１１はＳ２００２において生成した画像データを含む印刷ジョブにパスワードを付与してストレージ１１４に記憶する（Ｓ２００９）。Ｓ２００７において、印刷ジョブにパスワードが設定されていなかった場合、ＣＰＵ１１１は印刷ジョブをストレージ１１４に記憶する（Ｓ２０１０）。上記のように、確認印刷モード設定中はＰＣ１０２のプリンタドライバにて行われた設定にかかわらず、印刷ジョブをＭＦＰ１０１のストレージに記憶する。このようにすることで、確認印刷モード設定中はＰＣ１０２から受信した印刷ジョブが逐次開始されてしまうことを防ぐことができる。
【０１０３】
Ｓ２００４において、作業中フラグがＯＮでない、すなわち作業中フラグがＯＦＦであるとＣＰＵ１１１が判定した場合、ＭＦＰ１０１の動作モードは通常モードである。ＭＦＰ１０１の動作モードが通常モードである場合に、ＣＰＵ１１１は受信した印刷ジョブについて留め置きの設定がなされているか否かを判定する（Ｓ２００５）。印刷ジョブを留め置くか否かの設定は、ユーザが印刷ジョブをＰＣ１０２に備えられたプリンタドライバ１０３を用いて設定する。ＣＰＵ１１１は印刷ジョブに含まれる留め置き設定をするか否かのフラグを参照し、受信された印刷ジョブに留め置き設定がなされているか否かを判定する。
【０１０４】
受信したジョブが留め置き設定のなされていないジョブの場合、ＣＰＵ１１１はＳ２００２で生成した画像データに基づいて、画像を印刷する（Ｓ２００６）。ここでは、ユーザがＰＣ１０２から投入した画像データおよびプリンタドライバ１０３を用いて設定した設定の反映された画像が印刷される。そして、画像を印刷した後、ＣＰＵ１１１は課金カウンタのカウントを印刷したシートの枚数分カウントアップする（Ｓ２００７）。
【０１０５】
受信した印刷ジョブについてＭＦＰ１０１内への留め置き設定がなされている場合、ＣＰＵ１１１は受信した印刷ジョブにパスワードが付されているかを判定する（Ｓ２００８）。パスワードはＰＣ１０２のプリンタドライバ１０３を用いてユーザが設定する。
【０１０６】
受信した印刷ジョブにパスワードが付されていた場合、ＣＰＵ１１１はＳ２００２で生成した画像データを含む印刷ジョブとパスワードを紐づけてストレージ１１４に記憶する（Ｓ２００９）。
【０１０７】
受信した印刷ジョブにパスワードが付されていない場合、ＣＰＵ１１１はＳ２００２で生成した画像データを含む印刷ジョブをストレージ１１４に記憶する（Ｓ２０１０）。
【０１０８】
図９はユーザまたはサービスマンがジョブ状況画面６０４を表示し、印刷するジョブを指定したときにＣＰＵ１１１が行う処理の流れを示したフローチャートである。
【０１０９】
図９に示すフローチャートの各ステップは、ＣＰＵ１１１がＲＯＭ１１２またはストレージ１１４に記憶された制御プログラムをＲＡＭ１１３に読み出して実行することによって実現される。
【０１１０】
ＣＰＵ１１１は、印刷するジョブが指示されたかを判定する（Ｓ４００１）。ユーザがジョブ状況画面６０４において、印刷するジョブをタッチまたはキー操作で選択しＯＫキー３１１を押下することによって、ＣＰＵ１１１は印刷ジョブが指示されると判定する。印刷ジョブが指示されていない場合、ＣＰＵ１１１は引き続きジョブ状況画面を表示する。
【０１１１】
印刷するジョブが指示された場合、ＣＰＵ１１１は選択された印刷ジョブにパスワードが設定されているかを判定する（Ｓ４００２）。
【０１１２】
パスワードが設定されている場合、ＣＰＵ１１１はディスプレイ３２０にパスワード入力画面８００を表示し、パスワードの入力を受付ける（Ｓ４００３）。パスワードはユーザが操作部１１６を用いて入力する。
【０１１３】
ユーザがパスワードを入力して、ＯＫキー３１１を押下したことに従って、ＣＰＵ１１１は入力されたパスワードがプリンタドライバで設定されたパスワードと一致するか否かを判定する（Ｓ４００４）。
【０１１４】
ユーザが入力したパスワードがプリンタドライバを用いて指定されたパスワードと異なる場合、ＣＰＵ１１１はエラー画面８０１をディスプレイ３２０に表示し、「閉じる」ボタンが選択された後、再びパスワードの入力を受け付ける（Ｓ４００３）。
【０１１５】
ユーザが入力したパスワードがプリンタドライバで設定されたパスワードと一致していた場合、ＣＰＵ１１１は作業中フラグがＯＮであるかを判定する（Ｓ４００５）。
【０１１６】
Ｓ４００２において、Ｓ４００１で選択された印刷ジョブにパスワードが付与されていなかった場合、ＣＰＵ１１１は作業中フラグがＯＮであるかを判定する（Ｓ４００５）。
【０１１７】
Ｓ４００５において作業中フラグがＯＦＦであると判定された場合、すなわちＭＦＰ１０１の動作モードが通常モードである場合、ＣＰＵ１１１はＳ４００１で選択された印刷ジョブの画像データに基づいて画像を印刷する（Ｓ４００６）。
【０１１８】
画像を印刷した後、ＣＰＵ１１１は印刷したシートの枚数分、課金カウンタのカウントを上げる（Ｓ４００７）。
【０１１９】
Ｓ４００５において、ＣＰＵ１１１が、作業中フラグがＯＮであると判定した場合、ＭＦＰ１０１の動作モードは確認印刷モードである。ＣＰＵ１１１は選択された印刷ジョブの画像データに格子パターンを重畳した画像データを生成する（Ｓ４００８）。
【０１２０】
ＣＰＵ１１１は格子パターンの重畳された画像データに基づいた画像を印刷部１２０で印刷する（Ｓ４００９）。ここでは、ユーザがプリンタドライバ１０３を介して設定した設定に加えて、所定のパターン画像が重畳された画像が印刷される。このようにすることで、確認印刷モード設定中にテストプリントとして印刷された印刷物をわかりやすくすることができる。
【０１２１】
印刷を終えたのち、ＣＰＵ１１１は印刷したシートの枚数分非課金カウンタのカウントをカウントアップする（Ｓ４０１０）。
【０１２２】
通常モード設定時に印刷した画像については課金カウンタをカウントアップし、確認印刷モード設定時に印刷された画像データについては非課金カウンタをカウントアップする。このようにすることで、課金対象の印刷物の印刷枚数と課金対象とならない印刷物の印刷枚数を分けてカウントすることができる。また、課金対象とならない印刷物の印刷枚数をカウントすることで、課金対象とならない印刷がどの程度行われたかを把握することができるようになる。
【０１２３】
図１０は、ユーザが確認印刷モードを解除したときのＭＦＰ１０１の動作を示すフローチャートである。本実施形態では、確認印刷モードの設定の解除操作が行われたことに従い、確認印刷モード設定中にストレージ１１４に記憶された印刷ジョブのうち、留め置き設定のなされていない印刷ジョブを実行する。
【０１２４】
図１０に示す処理を実行するためのプログラムはＲＯＭ１１２またはストレージ１１４に記憶されている。ＣＰＵ１１１がＲＯＭ１１２またはストレージ１１４に記憶されたプログラムをＲＡＭ１１３に展開し実行することにより各処理が実現される。
【０１２５】
本フローチャートは、確認印刷モードが終了することによって開始される。サービスマンが所定の操作を行い、メンテナンスモードメニュー画面５００を表示し「確認印刷モード設定解除」ボタン５０２を選択することにより確認印刷モードが終了する。また、確認印刷モードが設定されてから所定の時間が経過したのちに確認印刷モードを終了する。本実施形態では上記の二つの方法のいずれかで確認印刷モードを終了することとして説明する。
【０１２６】
ＣＰＵ１１１は確認印刷モードが設定されているときに、確認印刷モードを解除するための操作がなされたことを検知する（Ｓ３００１）。確認印刷モードを解除するための操作とはサービスマンのみが知っている特殊な操作である。
【０１２７】
確認印刷モードを解除するための操作を検知していない場合、ＣＰＵ１１１は引き続き確認印刷モードで動作する。
【０１２８】
確認印刷モードが解除された場合、ＣＰＵ１１１はＭＦＰ１０１に強制留め置き設定がなされているか否かを判定する（Ｓ３００２）。ＣＰＵ１１１はストレージ１１４に記憶されているＭＦＰ１０１の強制留め置き設定がなされているか否かを示すフラグを参照し、強制留め置き設定がなされているか否かを判定する。強制留め置き設定がなされている場合、ＣＰＵ１１１はＭＦＰ１０１の動作モードを通常モードまたは確認印刷モードに設定する（Ｓ３００８）。動作モードを通常モードとメンテナンスモードのいずれに設定するかは、確認印刷モードの終了方法によって異なる。例えば、ユーザがメンテナンスモードメニュー画面５００から「確認印刷モード設定解除」ボタン５０２を選択して確認印刷モードを終了した場合、ＣＰＵ１１１はＳ３００８にて動作モードをメンテナンスモードに設定する。一方で、確認印刷モードが設定されてから所定の時間が経過したことにより確認印刷モードが終了した場合、ＣＰＵ１１１は動作モードを通常モードに設定する。
【０１２９】
ＭＦＰ１０１の設定が強制留め置き設定で無かった場合、ＣＰＵ１１１はストレージ１１４に記憶されている印刷ジョブがあるか否かを判定する（Ｓ３００３）。
【０１３０】
ストレージ１１４に記憶されている印刷ジョブがある場合、ＣＰＵ１１１はストレージに記憶されている印刷ジョブが確認印刷モード設定中に受信したジョブであるかを判定する（Ｓ３００４）。確認印刷モード設定中に受信した印刷ジョブを特定する方法はどのような方法であっても構わない。例えば、ＣＰＵ１１１が確認印刷モードの設定された時刻と確認印刷モードの解除された時刻を記憶し、確認印刷モードが設定されている間の時刻に受信した印刷ジョブを確認印刷モード設定中に受信した印刷ジョブとすることとする。
【０１３１】
ストレージ１１４に記憶された印刷ジョブのなかで、確認印刷モード設定中に受信した印刷ジョブについてＣＰＵ１１１は留め置き設定のされている印刷ジョブであるかを判定する（Ｓ３００５）。印刷ジョブに含まれる留め置き設定に関するフラグをＣＰＵ１１１が参照し、留め置き設定のなされている印刷ジョブであるかを判定する。
【０１３２】
留め置き設定のされている印刷ジョブでなければ、ＣＰＵ１１１はその印刷ジョブの画像データに基づいた画像を印刷する（Ｓ３００６）。
【０１３３】
確認印刷モードを終了するための操作があった後の印刷であるため、ＣＰＵ１１１は印刷したシートの枚数分課金カウンタをカウントアップする（Ｓ３００７）。
【０１３４】
ＣＰＵ１１１は課金カウンタをカウントアップしたのち、動作モードを通常モードまたはメンテナンスモードに設定する（Ｓ３００８）。
【０１３５】
Ｓ３００２において、ストレージ１１４に印刷ジョブが記憶されていない場合、ＣＰＵ１１１は確認印刷モードの解除方法に応じて動作モードを通常モードまたはメンテナンスモードのいずれかに設定する（Ｓ３００８）。
【０１３６】
Ｓ３００４において、ストレージ１１４に記憶された印刷ジョブが確認印刷モード設定中に受信した印刷ジョブでない場合、ＣＰＵ１１１はＳ３００８に記す処理を実行する。
【０１３７】
Ｓ３００５において、ストレージ１１４に記憶された印刷ジョブが留め置き設定のされた印刷ジョブであった場合、ＣＰＵ１１１はＳ３００８に記す処理を実行する。
【０１３８】
ＣＰＵ１１１は上記の処理を実行した後、図１０に示す処理を終了する。
【０１３９】
図１０に示す処理を実行することで、確認印刷モード中にサービスマンでない一般のユーザから受付けた印刷ジョブについて、確認印刷モードの設定解除受付後に、所定のパターン画像を付加せずに印刷を開始することができる。
【０１４０】
以上のように本実施形態によれば、サービスマンが印刷部１２０の印刷した印刷物の印刷結果を確認するためのテストプリントを行う確認印刷モードが設定されているとき、情報処理装置から受信した印刷ジョブを画像形成装置内に記憶することができる。
【０１４１】
確認印刷モード設定中にＰＣ１０２から受信した画像データを留め置き、印刷開始指示に基づいて印刷することで、ＰＣ１０２から受信した画像データについて格子模様の付加された画像の印刷が逐次開始されてしまうことを防ぐことができる。通常モード設定時は、ＰＣ１０２から受信した画像データ毎の設定に従って画像の印刷を開始するタイミングを決定する。例えば、画像データに対して、留め置き設定がなされていないときはＭＦＰ１０１がＰＣ１０２から画像データを受信し、逐次印刷を開始する。画像データに対して留め置き設定がなされているときは、ＭＦＰ１０１がＰＣ１０２から画像データを受信した後、その画像データの印刷を開始するユーザ操作を受付けて画像の印刷を開始する。
【０１４２】
本実施形態によれば、確認印刷モードが設定されるときに、サービスマンがＭＦＰ１０１の強制留め置き設定を手動で変更しなくても、確認印刷モード設定中にＰＣ１０２から受信した画像データを留め置くことができる。このようにすることで、確認印刷モード設定時にサービスマンが強制留め置き設定を手動で変更する手間を省くことができる。
【０１４３】
（第２の実施形態）
第１の実施形態では、確認印刷モード設定中は情報処理装置から受信した画像データをＭＦＰ１０１内に記憶し、サービスマンによる印刷開始の指示に基づいて印刷を開始する場合について説明した。しかし、第１の実施形態では確認印刷モード設定中にユーザがジョブ状況画面を表示してジョブを選択した場合に、所定のパターンが重畳された画像が印刷されてしまう。そこで、第２の実施形態では、確認印刷モード設定中に情報処理装置から受信した印刷ジョブについてサービスマンのみが知っているパスワードを付与して画像形成装置内に記憶することとする。このようにすることで、サービスマンでない一般のユーザが確認印刷モード設定中にジョブを印刷してしまうことを防止することができる。
【０１４４】
図５を用いて、第２の実施形態におけるＭＦＰ１０１の動作を説明する。
【０１４５】
確認印刷モード設定中にサービスマンがＰＣ１０２を用いて印刷ジョブを送信する。このとき、サービスマンがＰＣ１０２を用いて送信したジョブにはサービスマンしか知らないパスワードが付与される。このパスワードはプリンタドライバ１０３における設定に係わらず付与されるパスワードであり、予め決められているパスワードである。そして、このパスワードはサービスマンのみが知っているものであり、一般のユーザには開示されない。また、確認印刷モード設定中は受信したジョブおよびストレージ１１４に記憶されている全ての印刷ジョブにサービスマンのみが知っているパスワードが付与される。このようにすることで、確認印刷モード設定中に、一般のユーザが画像の印刷を行うことを防ぐことができる。
【０１４６】
その後、サービスマンはＭＦＰ１０１の操作部１１６の状況確認ボタン３０２を押下し、ディスプレイ３２０に状況確認画面６００を表示する。
【０１４７】
さらに、サービスマンは状況確認画面６００で「コピー／プリントジョブ」ボタン６０１を選択し、コピー／プリントジョブ画面６０２をディスプレイ３２０に表示させる。
【０１４８】
その後、サービスマンがコピー／プリントジョブ画面６０２において「ジョブ状況」ボタン６０３を選択し、ジョブ状況画面６０４をディスプレイ３２０に表示させる。このようにことで、サービスマンがストレージ１１４に留め置かれている印刷ジョブからテストプリントを行う印刷ジョブを選択することができる。
【０１４９】
ジョブ状況画面６０４にてサービスマンが印刷するジョブを選択すると、ディスプレイ３２０に図５（ｃ１）に示すパスワード入力画面８００が表示される。パスワード入力画面８００では、サービスマンが操作部１１６を介してパスワードの入力を行う。サービスマンがパスワードの入力をし、ＯＫキー３１１を押下したことに従ってＣＰＵ１１１はパスワードの認証を行う。
【０１５０】
図５（ｃ１）に示すパスワード入力画面において、入力されたパスワードが間違ったパスワードであった場合、ＭＦＰ１０１のディスプレイ３２０にエラー画面８０１が表示される。サービスマンは「閉じる」ボタンを選択することでディスプレイ３２０に表示されている画面をパスワード入力画面８００にすることができる。
【０１５１】
図５（ｃ１）のパスワード入力画面で入力されたパスワードが正しいパスワードであった場合、ＣＰＵ１１１は選択された画像の印刷を開始する。このとき、ＭＦＰ１０１の動作モードは確認印刷モードであるため、印刷を指示された印刷ジョブの画像データに格子模様を重畳して印刷をする。第２の実施形態においては、パスワード入力画面８００においてＯＫキー３１１を押下することが印刷開始指示となり、印刷が開始される。
【０１５２】
最後に、サービスマンが確認印刷モードを終了した後、確認印刷モード設定中にＰＣ１０２から受信し、ストレージ１１４に記憶された印刷ジョブの画像データに基づいて、パターン画像を付与することなく画像の印刷を開始する。
【０１５３】
図７を用いて、第２の実施形態における確認印刷モードの設定に関する処理について第１の実施形態との差異を説明する。
【０１５４】
第２の実施形態では、Ｓ１００９において、ＣＰＵ１１１が動作モードを確認印刷モードに変更し、ディスプレイ３２０に図４（ａ２）に示す確認印刷モード設定時のホーム画面を表示する。さらに、ＣＰＵ１１１はストレージ１１４に記憶されている全ての印刷ジョブにサービスマン専用のパスワードを付与する。このようにすることで、確認印刷モードが設定される以前に印刷ジョブ送信したユーザが、確認印刷モード中に印刷を行ってしまい、パターン画像の付与された画像が印刷されてしまうことを防ぐことができる。
【０１５５】
図１１にＰＣ１０２からＭＦＰ１０１が印刷ジョブを受付けた場合の処理についてのフローチャートを示す。
【０１５６】
図１１に示す処理を実行するためのプログラムはＲＯＭ１１２または、ストレージ１１４に記憶されている。ＣＰＵ１１１がＲＯＭ１１２またはストレージ１１４に記憶されたプログラムをＲＡＭ１１３に展開し、ＣＰＵ１１１がそのプログラムを実行することによって処理が実現される。
【０１５７】
Ｓ２００１からＳ２０１０に示す処理は図８に示す処理と同様であるため、説明を省略する。
【０１５８】
Ｓ２００４において、ＣＰＵ１１１が作業中フラグがＯＮであると判定した場合、ＭＦＰ１０１の動作モードは確認印刷モードである。設定されている動作モードが確認印刷モードである場合、ＣＰＵ１１１は受信した印刷ジョブにサービスマン専用のパスワードを付与してストレージ１１４に記憶する（Ｓ５００１）。サービスマン専用のパスワードはＭＦＰ１０１内のストレージ１１４またはＳＲＡＭ１２５に記憶されている。上記のパスワードは工場出荷時に決定されるパスワードであり、サービスマンやユーザがプリンタドライバ１０３を用いて設定するパスワードとは異なるパスワードである。ここで、プリンタドライバ１０３によりパスワードが設定されていた場合、印刷ジョブはプリンタドライバによって設定されたパスワードも保持している。ＣＰＵ１１１は、印刷ジョブをストレージ１１４に記憶した後、図１１に示す処理を終了する。
【０１５９】
Ｓ５００１の処理を実行することで、確認印刷モード設定中に、ＰＣ１０２から受信した印刷ジョブについてＭＦＰ１０１の強制留め置き設定がＯＦＦになっていた場合にも、直ぐに印刷を開始せずストレージ１１４に記憶することができる。さらに、サービスマン専用のパスワードを付与することで、一般のユーザが確認印刷モード設定中に印刷を開始してしまうことを防ぐことができる。
【０１６０】
ジョブ状況画面６０４がディスプレイ３２０に表示されている場合に、印刷するジョブが選択された場合の処理について図９のフローチャートを用いて説明する。
【０１６１】
第２の実施形態では、第１の実施形態との差分のみを説明する。
【０１６２】
Ｓ４００２において、ＣＰＵ１１１が、選択された印刷ジョブにパスワードが付与されていると判定した場合、ＣＰＵ１１１はディスプレイ３２０にパスワード入力画面８００を表示する（Ｓ４００３）。パスワードは操作部１１６のハードキーやタッチパネルを用いて入力される。
【０１６３】
ＣＰＵ１１１はＯＫキー３１１が押下されたことに従い、入力されたパスワードが印刷ジョブに付与されたパスワードと一致するかを判定する（Ｓ４００４）。このとき、ＣＰＵ１１１はＭＦＰ１０１の動作モードが確認印刷モードであれば入力されたパスワードとサービスマン専用のパスワードを比較し、一致すればＳ４００５に進む。一方で、ＭＦＰ１０１の動作モードが通常モードであれば、入力されたパスワードとプリンタドライバにて設定されたパスワードが一致するか否かを判定する。
【０１６４】
第１の実施形態では、Ｓ４００２において選択された印刷ジョブにパスワードが付与されていなかった場合に、ＣＰＵ１１１が作業中フラグがＯＮか否かを判定することとして説明した。
【０１６５】
第２の実施形態では、確認印刷モード中はストレージ１１４に記憶されている全てのジョブにサービスマン専用のパスワードが付与される。Ｓ４００２においてＣＰＵ１１１が選択された印刷ジョブにパスワードが付与されていないと判定された場合、ＭＦＰ１０１の動作モードは通常モードである。そのため、第２の実施形態では、Ｓ４００２においてＣＰＵ１１１が選択された印刷ジョブにパスワードが付与されていないと判定したことに従って、Ｓ４００５の処理を行うことなくＳ４００６へ処理を進めることとする。
【０１６６】
一方で、Ｓ４００２において指示された印刷ジョブにパスワードが付与されていた場合、Ｓ４００３およびＳ４００４においてＣＰＵ１１１がパスワードの入力を受付け、パスワードが一致するかの認証処理を行う。その後、ＣＰＵ１１１がＭＦＰ１０１の作業中フラグがＯＮであるか否かを判定する（Ｓ４００５）。作業中フラグがＯＮの場合、ＣＰＵ１１１は動作モードが確認印刷モードであるとし、Ｓ４００８からＳ４０１０の処理を実行する。作業中フラグがＯＦＦの場合、ＣＰＵ１１１は動作モードが通常モードであるとし、Ｓ４００６、Ｓ４００７に示す処理を実行する。
【０１６７】
以上の図１１、図９に示す処理を実行することで、確認印刷モードが設定されているときにＭＦＰ１０１が受信した印刷ジョブについてサービスマン専用のパスワードを付し、一般のユーザによる印刷を防ぐことができる。
【０１６８】
確認印刷モードを解除したときの処理について図１０を用いて説明する。Ｓ３００１からＳ３００４、Ｓ３００６、Ｓ３００７に示す処理は第１の実施形態と同様である。
【０１６９】
Ｓ３００５では、第１の実施形態では確認印刷モードが設定されているときに受信した画像を印刷するとして説明した。しかし、第２の実施形態ではＣＰＵ１１１が付与されたサービスマン用のパスワードを解除し、印刷部１２０による画像の印刷を行うこととする。このとき、サービスマン用のパスワードのほかにプリンタドライバで設定されたパスワードがある印刷ジョブについては、サービスマン用のパスワードを解除し、プリンタドライバで設定されたパスワードの付与を行う。プリンタドライバにおいて、パスワードの設定のされている印刷ジョブは留め置き設定のされている印刷ジョブであるので印刷することなく、Ｓ３００８の処理を行う。
【０１７０】
第２の実施形態では、確認印刷モード設定中にＭＦＰ１０１に留め置かれた画像を印刷するときにサービスマンのみが知るパスワードを入力して印刷を行う。このようにすることで、確認印刷モード設定中にサービスマンでない一般のユーザがジョブ状況画面６０４から印刷を行おうとした場合にも、印刷を開始できないようにすることができる。
【０１７１】
第２の実施形態では、サービスマン専用のパスワードを入力することで、ストレージ１１４に記憶した印刷ジョブの画像を印刷することとして説明した。しかし、サービスマン専用のパスワードでなくても、例えば、サービスマンのみが保持している専用のＩＣカード等を認証することでストレージ１１４に記憶された画像を印刷することとしてもよい。
【０１７２】
第２の実施形態では、印刷する印刷ジョブをサービスマンが選択したことに従って、パスワード入力画面８００をディスプレイ３２０に表示することとして説明した。しかし、パスワード入力画面８００を表示するタイミングは上記のタイミングでなくてもよいこととする。例えば、サービスマンが状況確認ボタン３０２を押下したことに従って、ＣＰＵ１１１がディスプレイ３２０にパスワード入力画面８００を表示することとしてもよい。さらに、「コピー／プリントジョブ」ボタン６０１選択時、「ジョブ状況」ボタン６０３選択時にＣＰＵ１１１がディスプレイ３２０にパスワード入力画面８００を表示することとしてもよい。
【０１７３】
第２の実施形態では、確認印刷モード設定中にＰＣ１０２から受信した印刷ジョブについて、工場出荷時に決められたパスワードを付与してストレージ１１４に記憶することとして説明した。パスワードは上記の方法によって定められたものに限らない。例えば、確認印刷モード設定時にディスプレイ３２０に表示される不図示のパスワード設定画面においてサービスマンがパスワードを設定することとしてもよい。このとき、サービスマンがパスワードを入力してから確認印刷モードが終了するまでは、ストレージ１１４に記憶されている印刷ジョブにサービスマンの設定したパスワードが付与されることとする。
【０１７４】
（その他の実施形態）
第１、第２の実施形態では、ＭＦＰ１０１は課金対象となる印刷物の印刷枚数をカウントするための課金カウンタと、課金対象から除かれる印刷物の印刷枚数をカウントするための非課金カウンタとを備えることとして説明をした。しかし、ＭＦＰ１０１は課金対象とならない印刷物の印刷枚数をカウントする非課金カウンタを備えず、課金カウンタのみを備えることとしてもよい。また、第１、第２の実施形態では、メンテナンスモード及び、確認印刷モードで行われた印刷物の印刷枚数は非課金カウンタでカウントすることとして説明した。しかし、メンテナンスモードにおける試験用プリントは非課金カウンタの更新を行わないなど、一部の課金対象外の印刷ジョブについて非課金カウンタの更新を行わないこととしてもよい。
【０１７５】
また、第１、第２の実施形態では、課金カウンタおよび非課金カウンタは印刷するシートの枚数が一枚増える毎にカウンタを一つカウントアップする。しかし、課金カウンタ及び非課金カウンタのカウントを１ジョブ実行する毎に１カウントアップしたり、使用したトナーの量等に応じてカウンタを上げることとしてもよい。
【０１７６】
第１、第２の実施形態では、確認印刷モード設定中に印刷を行った場合、ＰＣ等情報処理装置から受信した画像データに基づいて生成される画像に格子模様を重畳して印刷する場合について説明した。しかし、画像に重畳するパターン画像は格子模様に限らない。画像に重畳するパターン画像は、所定のスタンプや地紋のような模様であっても構わない。
【０１７７】
第１、第２の実施形態では図７から図１１に示す処理をＭＦＰ１０１に備えられたＣＰＵ１１１が実行することとしても説明した。しかし、これらに係る処理をＭＦＰ１０１とネットワーク等を介して接続されたコンピュータ等のＣＰＵが実行することとしてもよい。
【０１７８】
第１、第２の実施形態では、確認印刷モード設定中にＰＣ１０２から受信した印刷ジョブの画像データをＭＦＰ１０１内のストレージ１１４に記憶することとして説明した。しかし、画像データの記憶を行う場所は上記の場所に限らない。例えば、ＭＦＰ１０１とネットワークを介して接続されたサーバや他のＭＦＰのストレージに画像データを記憶することとしてもよい。
【０１７９】
第１、第２の実施形態では、確認印刷モード設定中は印刷に関するジョブはジョブの種類に係わらず、ストレージ１１４に記憶し、サービスマンの印刷開始指示に従って、所定のパターン画像を重畳した画像を印刷することとして説明した。しかし、ＭＦＰ１０１が受信する画像データのなかには、ＦＡＸデータのように受信後直ぐに印刷を行いたいジョブもある。そこで、例えばＦＡＸのような所定の種類のジョブについては確認印刷モード設定中も、ジョブを受信し次第印刷を開始することとしてもよい。また、所定のジョブ種のジョブを受信した場合は、所定のパターン画像を付与することなく、受信した画像データに基づいて画像を印刷することとする。
【０１８０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのコンピュータプログラム、及び該コンピュータプログラムを記憶した記憶媒体は本発明を構成することになる。
【図１】
2018012298.tif 000003
【図２】
2018012298.tif 000004
【図３】
2018012298.tif 000005
【図４】
2018012298.tif 000006
【図５】
2018012298.tif 000007
【図６】
2018012298.tif 000008
【図７】
2018012298.tif 000009
【図８】
2018012298.tif 000010
【図９】
2018012298.tif 000011
【図１０】
2018012298.tif 000012
【図１１】
2018012298.tif 000013